(57)【要約】【課題】ナビゲーションに関する情報の認識性を向上させることができる。【解決手段】情報を画面に表示する画面表示部１９１と、画面表示部１９１の画面の周囲の一部又は全部に設けられるＬＥＤ表示部１９２と、移動体の位置情報に基づいて目的地までのナビゲーションに関する情報を画面表示部１９１に画面に表示させ、当該画面に表示された情報に対応する補助情報をＬＥＤ表示部１９２に表示させる制御手段（ＣＰＵ１１等）と、を備える。【選択図】図１
2006220446.tif 000002
【特許請求の範囲】
【請求項１】
情報を画面に表示する画面表示手段と、
前記画面表示手段の画面の周囲の一部又は全部に設けられる補助情報表示手段と、
移動体の位置情報に基づいて目的地までのナビゲーションに関する情報を前記画面表示手段の画面に表示させ、当該画面に表示された情報に対応する補助情報を前記補助情報表示手段に表示させる制御手段と、
を備えることを特徴とするナビゲーション表示装置。
【請求項２】
前記補助情報表示手段は、複数の補助情報表示単位手段を備え、
前記制御手段は、前記各補助情報表示単位手段の表示により前記補助情報を表示させることを特徴とする請求項１に記載のナビゲーション表示装置。
【請求項３】
前記補助情報表示手段は、発光体を備え、
前記制御手段は、前記発光体の発光により前記補助情報を表示させることを特徴とする請求項１又は２に記載のナビゲーション表示装置。
【請求項４】
前記補助情報表示手段は、表示体を備え、
前記制御手段は、前記表示体の運動及び静止により前記補助情報を表示させることを特徴とする請求項１に記載のナビゲーション表示装置。
【請求項５】
前記表示体は、回転可能な方向指示体であり、
前記制御手段は、前記方向指示体の回転及び静止により前記補助情報を表示させることを特徴とする請求項４に記載のナビゲーション表示装置。
【請求項６】
情報を画面に表示する表示手段と、
移動体の位置情報に基づいて目的地までのナビゲーションに関する情報を画面表示する画面表示領域と、当該画面表示領域に表示された情報に対応する補助情報を前記画面表示領域の周囲の一部又は全部に表示する補助情報表示領域と、を含む画面を前記表示手段に表示させる制御手段と、
を備えることを特徴とするナビゲーション表示装置。
【請求項７】
前記補助情報表示領域は、複数の補助情報表示単位領域を有し、当該各補助情報表示単位領域の表示により前記補助情報を表示することを特徴とする請求項６に記載のナビゲーション表示装置。
【請求項８】
コンピュータに、
移動体の位置情報に基づいて目的地までのナビゲーションに関する情報を画面に表示させ、当該画面に表示された情報に対応する補助情報を前記画面の周囲の一部又は全部に表示させる機能を実現させるためのナビゲーション表示プログラム。
【請求項９】
コンピュータに、
移動体の位置情報に基づいて目的地までのナビゲーションに関する情報を画面表示する画面表示領域と、当該画面表示領域に表示された情報に対応する補助情報を前記画面表示領域の周囲の一部又は全部に表示する補助情報表示領域と、を含む画面を表示させる機能を実現させるためのナビゲーション表示プログラム。
【発明の詳細な説明】
【技術分野】
【０００１】
本発明は、ナビゲーション表示装置及びナビゲーション表示プログラムに関する。
【背景技術】
【０００２】
従来、車両等に搭載されて、目的地までの経路を案内するための装置として、ナビゲーション装置が広く普及している。ナビゲーション装置は、地上約２万ｋｍの宇宙空間に配置されたＧＰＳ（Global Positioning Systems）衛星から発信する電波を受信し、この受信情報から算出された自車の位置情報に基づいて、ＣＤ−ＲＯＭ（Read Only Memory）、ＤＶＤ（Digital Versatile Disk）−ＲＯＭ、ＨＤＤ（Hard Disk Drive）等に記憶された地図データベースから対応する地域の地図データを読み出し、地図データと自車の現在位置をマッチングさせてディスプレイ等に表示させ経路案内を行う。
【０００３】
このようなナビゲーション装置は、例えば、表示部及び音声出力部を備え、車両の現在地の地図を表示部に画面表示させ、その地図上に目的地へ向かう矢印を表示させるとともに、右折、左折地点のまでの距離及びその指示等の情報を音声出力部から音声出力して、運転者に報知していた。通常、画面表示を行う表示部は、車両の前面（ダッシュボード）の、運転席と助手席との間、若しくは助手席側に設けられる。
【０００４】
また、上記ナビゲーション画面の表示部に加えて、車両のウインドウシールドガラス周囲に、左端及び右端にＬＥＤ（Light Emitting Diode）を有する導光管を設け、その導光管の左側又は右側のＬＥＤ点燈により、右折、左折の指示を補助表示する構成が考えられている（例えば、特許文献１参照）。
【特許文献１】特開２００３−５４３３４号公報
【発明の開示】
【発明が解決しようとする課題】
【０００５】
しかし、特許文献１に記載のような従来の構成では、画面表示を行う表示部と、補助情報表示手段としての導光管とが併設され、その表示位置が互いに離れているため、運転者がその２箇所を別々に注意して見なければならず、ナビゲーションに関する情報の認識が十分でなく、右折、左折等の運転操作のタイミングを逃したりするおそれがあった。
【０００６】
本発明の課題は、ナビゲーションに関する情報の認識性を向上させることである。
【課題を解決するための手段】
【０００７】
上記課題を解決するため、請求項１に記載の発明は、
情報を画面に表示する画面表示手段と、
前記画面表示手段の画面の周囲の一部又は全部に設けられる補助情報表示手段と、
移動体の位置情報に基づいて目的地までのナビゲーションに関する情報を前記画面表示手段の画面に表示させ、当該画面に表示された情報に対応する補助情報を前記補助情報表示手段に表示させる制御手段と、
を備えることを特徴とするナビゲーション表示装置である。
【０００８】
請求項２に記載の発明は、請求項１に記載のナビゲーション表示装置において、
前記補助情報表示手段は、複数の補助情報表示単位手段を備え、
前記制御手段は、前記各補助情報表示単位手段の表示により前記補助情報を表示させることを特徴とする。
【０００９】
請求項３に記載の発明は、請求項１又は２に記載のナビゲーション表示装置において、
前記補助情報表示手段は、発光体を備え、
前記制御手段は、前記発光体の発光により前記補助情報を表示させることを特徴とする。
【００１０】
請求項４に記載の発明は、請求項１に記載のナビゲーション表示装置において、
前記補助情報表示手段は、表示体を備え、
前記制御手段は、前記表示体の運動及び静止により前記補助情報を表示させることを特徴とする。
【００１１】
請求項５に記載の発明は、請求項４に記載のナビゲーション表示装置において、
前記表示体は、回転可能な方向指示体であり、
前記制御手段は、前記方向指示体の回転及び静止により前記補助情報を表示させることを特徴とする。
【００１２】
請求項６に記載の発明は、
情報を画面に表示する表示手段と、
移動体の位置情報に基づいて目的地までのナビゲーションに関する情報を画面表示する画面表示領域と、当該画面表示領域に表示された情報に対応する補助情報を前記画面表示領域の周囲の一部又は全部に表示する補助情報表示領域と、を含む画面を前記表示手段に表示させる制御手段と、
を備えることを特徴とするナビゲーション表示装置である。
【００１３】
請求項７に記載の発明は、請求項６に記載のナビゲーション表示装置において、
前記補助情報表示領域は、複数の補助情報表示単位領域を有し、当該各補助情報表示単位領域の表示により前記補助情報を表示することを特徴とする。
【００１４】
請求項８に記載の発明は、
コンピュータに、
移動体の位置情報に基づいて目的地までのナビゲーションに関する情報を画面に表示させ、当該画面に表示された情報に対応する補助情報を前記画面の周囲の一部又は全部に表示させる機能を実現させるためのナビゲーション表示プログラムである。
【００１５】
請求項９に記載の発明は、
コンピュータに、
移動体の位置情報に基づいて目的地までのナビゲーションに関する情報を画面表示する画面表示領域と、当該画面表示領域に表示された情報に対応する補助情報を前記画面表示領域の周囲の一部又は全部に表示する補助情報表示領域と、を含む画面を表示させる機能を実現させるためのナビゲーション表示プログラムである。
【発明の効果】
【００１６】
本発明によれば、ナビゲーションに関する情報の認識性を向上させることができる。
【発明を実施するための最良の形態】
【００１７】
以下、添付図面を参照して本発明に係る実施の形態を詳細に説明する。ただし、発明の範囲は、図示例に限定されない。
【００１８】
まず、図１及び図２を参照して、本実施の形態の装置構成を説明する。図１に、本実施の形態のナビゲーション表示装置としてのナビゲーション装置１００の構成を示す。図２に、表示部１９の表示構成を示す。
【００１９】
ナビゲーション装置１００は、移動体としての車両等に搭載されて目的地までの経路を案内する装置であり、その車両のバッテリ等から電源を供給されて駆動される。図１に示すように、ナビゲーション装置１００は、ＣＰＵ（Central Processing Unit）１１と、ＧＰＳ部１２と、自律航法部１３と、通信部１４と、ＲＡＭ（Random Access Memory）１５と、不揮発メモリ１６と、記憶部１７と、入力部１８と、表示部１９と、音声出力部２０と、等を備えて構成され、各部がバス２１により接続されている。
【００２０】
ＣＰＵ１１は、ナビゲーション装置１００の各部を中央制御する。ＣＰＵ１１は、記憶部１７に記憶されているシステムプログラム及び各種アプリケーションプログラムの中から指定されたプログラムをＲＡＭ１５に展開し、ＲＡＭ１５に展開されたプログラムとの協働で、制御手段として各種処理を実行する。
【００２１】
ＧＰＳ部１２は、ＧＰＳアンテナ１２ａを備える。このＧＰＳアンテナ１２ａは、地球低軌道に打ち上げられた複数のＧＰＳ衛星から送信されるＧＰＳ信号を受信する。ＧＰＳ部１２は、ＧＰＳアンテナ１２ａにより、少なくとも３個のＧＰＳ衛星から送信されるＧＰＳ信号を受信し、受信したＧＰＳ信号に基づいて車両の絶対的な現在位置（緯度、経度）を検出して、ＣＰＵ１１に出力する。
【００２２】
自律航法部１３は、角度センサ、距離センサ等を備えて構成される。角度センサは、車両の角速度（単位時間あたりの水平方向への回転角度）を検出して、移動方位の変化量を算出する。距離センサは、車輪の回転に応じて出力される車速パルス信号を検出して、車両の移動量を算出する。自律航法部１３は、これら角速度信号および車速パルス信号により、車両の相対的な位置変化を算出してＣＰＵ１１に出力する。
【００２３】
通信部１４は、図示しないアンテナを有しており、ＣＰＵ１１から入力される指示に従って、無線基地局等との間で無線通信用の通信プロトコルを実行し、設定された通信チャネルにより各種データの送受信を行い、無線基地局に接続される通信ネットワークＮ上の各種機器と双方向通信を行う。
【００２４】
通信ネットワークＮは、電話回線、ＩＳＤＮ（Integrated Services Digital Network）回線、専用線、移動体通信網、通信衛星回線、ＣＡＴＶ回線等の各種通信回線により構築されるネットワークであるが、ＬＡＮ（Local Area Network）やＷＡＮ（Wide Area Network）、インターネット等の様々な回線形態を含むこととしてもよい。
【００２５】
ＲＡＭ１５は、揮発性のメモリであり、実行される各種プログラムやこれら各種プログラムに係るデータ等を一時的に記憶するワークエリアを形成する。
【００２６】
不揮発メモリ１６は、不揮発性の半導体メモリやＨＤＤ等により構成され、ユーザの設定情報、車両の走行履歴情報等の不揮発性を要する情報を記憶する。
【００２７】
記憶部１７は、実行される各種プログラムや各種データ等があらかじめ記憶されている記録媒体（図示せず）を備える。記憶部１７は、ＲＯＭ、ＣＤ−ＲＯＭ、ＤＶＤ−ＲＯＭ、ＨＤＤ等により構成される。記憶部１７は、各種データとして、例えば、表示部１９に表示させるための地図データや、音声出力部２０から出力するための音声パターンデータ等を記憶する。
【００２８】
入力部１８は、文字キー、数字キー、検索キーの他、ナビゲーション利用等の各種機能に対応付けられた各種キーを備え、操作されたキーに対する操作信号を受け付けてＣＰＵ１１に出力する。また、入力部１８は、表示部１９の画面表示部１９１を覆うように設けられたタッチパネル等のポインティングデバイスや、無線又は有線のリモートコントローラ等を介して操作入力を受け付ける構成、あるいは、音声入力を受け付ける構成等としてもよい。
【００２９】
表示部１９は、図１及び図２に示すように、画面表示を行う画面表示手段としての画面表示部１９１と、ＬＥＤを点燈して情報を表示する補助情報表示手段としてのＬＥＤ表示部１９２と、を備える。画面表示部１９１は、ＬＣＤ（Liquid Crystal Display）や、ＥＬ（ElectroLuminescent）ディスプレイ等により構成される。画面表示部１９１は、各種操作入力画面、地図上で目的地までの経路を案内する画面、右折、左折等を指示する指示画面等を含むナビゲーション画面を表示する。
【００３０】
ＬＥＤ表示部１９２は、表示部１９の画面としての不使用部分に設けられ、画面表示部１９１の周囲全部に配置された複数の補助情報単位表示手段としてのＬＥＤ単位表示部１９２ａを備える。ＬＥＤ単位表示部１９２ａは、表示部１９の画面としての不使用部分に設けられた複数且つ互いに異なる色のＬＥＤを有する。そして、ＬＥＤ表示部１９２では、各ＬＥＤ単位表示部１９２ａを単位として、各色のＬＥＤが点燈制御される。ＬＥＤ表示部１９２は、本実施の形態では、ＬＥＤ単位表示部１９２ａが、赤色、オレンジ色、緑色、黄色の４色の点灯が可能であるものとする。
【００３１】
音声出力部２０は、音声を出力するスピーカ等を備え、入力部１８での操作入力を補助する音声、経路案内の音声、右折、左折等を指示する指示する音声等を出力する。
【００３２】
次に、図３〜図８を参照して、ナビゲーション装置１００の動作を説明する。図３に、画面表示処理の流れを示す。図４に、ＬＥＤ表示処理の流れを示す。図５に、直進時のＬＥＤ点燈表示パターンを示す。図６に、右折時のＬＥＤ点燈表示パターンを示す。図７に、行き止まり時のＬＥＤ点燈表示パターンを示す。図８に、事故時のＬＥＤ点燈表示パターンを示す。
【００３３】
先ず、図３を参照して、ナビゲーション装置１００で実行される画面表示処理を説明する。画面表示処理は、画面表示部１９１に、ナビゲーションに関する情報を含むナビゲーション画面を表示する処理である。予め、ナビゲーション装置１００において、現在地から目的地までの走行案内を出力する画面処理が実行されているものとする。ナビゲーション画面には、地図上の、目的地までの経路、目印となる指標、車両の現在位置及び方位等を含む経路案内画面、直進指示画面、右折／左折等の指示画面、行き止まり、事故等の表示画面、各種操作画面等が含まれる。また、説明を省略するが、画面処理による画面表示部１９１の画面表示に対応する音声が、音声出力部２０から適宜出力されるものとする。
【００３４】
例えば、操作者による入力部１８を介したナビゲーション開始指示の入力をトリガとして、記憶部１７から画面表示プログラムが適宜読み出されてＲＡＭ１５に展開され、ＣＰＵ１１と、展開された画面表示プログラムとの協働により画面表示処理が実行される。
【００３５】
図３に示すように、先ず、表示する画面データが生成される（ステップＳ１）。具体的には、ＧＰＳ部１２、自律航法部１３から取得される車両の位置情報、入力部１８を介して入力される入力情報、通信部１４を介して受信される受信情報、不揮発メモリ１６、記憶部１７から読み出される情報等を用いて、各種画面が生成される。例えば、経路案内画面は、ＧＰＳ部１２から取得される車両の緯度、経度情報と、自律航法部１３から取得される車両の向き等の情報と、記憶部１７から読み出される地図情報等と、に基づいて生成される。
【００３６】
そして、ステップＳ１で生成された画面データが画面表示部１９１に画面表示される（ステップＳ２）。そして、ＬＥＤ表示部１９２の点燈指示又は点燈終了指示を要するか否かが判別される（ステップＳ３）。ステップＳ２で画面表示部１９１に表示される画面が、ＬＥＤ表示部１９２の点燈を要する画面に切り替わった場合に点燈指示され、その画面から点燈を要しない画面に切り替わった場合に点燈終了指示される。
【００３７】
本実施の形態においては、簡単のために、車両の直進時と、右折／左折時と、行き止まり時と、走行中の道路上の事故発生時（事故時）とに、これらの状況に対応する画面が画面表示部１９１に表示されるとともに、その表示画面に対応して、ＬＥＤ表示部１９２に補助情報表示としてのＬＥＤ表示がなされるものとする。
【００３８】
点燈指示又は点燈終了指示を要する場合（ステップＳ３；ＹＥＳ）、ステップＳ２で表示している画面に対応して、点燈指示又は点燈終了指示がなされる（ステップＳ４）。そして、画面表示部１９１に表示中の画面を変化させるか否かが判別される（ステップＳ５）。点燈指示又は点燈終了指示を要しない場合（ステップＳ３；ＮＯ）、ステップＳ５に移行される。画面を変化させない場合（ステップＳ５；ＮＯ）、ステップＳ３に移行される。
【００３９】
そして、画面表示処理を終了するか否かが判別される（ステップＳ６）。例えば、運転者等により入力部１８を介してナビゲーション終了指示が入力されたか否かにより判別される。画面表示処理を終了しない場合（ステップＳ６；ＮＯ）、ステップＳ１に移行される。画面表示処理を終了する場合（ステップＳ６；ＹＥＳ）、画面表示処理が終了する。
【００４０】
次いで、図４〜図８を参照して、ナビゲーション装置１００で実行されるＬＥＤ表示処理を説明する。ＬＥＤ表示処理は、ＬＥＤ表示部１９２におけるＬＥＤの点燈により、ナビゲーション画面に対応する各種補助情報を表示する処理である。
【００４１】
ＬＥＤ表示処理では、ナビゲーション処理の実行下で、画面表示部１９１に表示される画面に対応して、ＬＥＤ表示部１９２をＬＥＤ表示する。例えば、画面表示処理の実行開始をトリガとして、記憶部１７からＬＥＤ表示プログラムが適宜読み出されてＲＡＭ１５に展開され、ＣＰＵ１１と、展開されたＬＥＤ表示プログラムとの協働によりＬＥＤ表示処理が実行される。
【００４２】
図４に示すように、先ず、画面表示処理のステップＳ４に対応して、ＬＥＤ表示部１９２のＬＥＤ点燈指示があるか否かが判別される（ステップＳ１１）。車両の直進時、右折／左折時、行き止まり時又は事故時の画面表示開始とともに、これに対応したＬＥＤ点燈指示があるものとする。ＬＥＤ表示部１９２のＬＥＤ点燈指示がない場合（ステップＳ１１；ＮＯ）、ステップＳ１１に移行される。
【００４３】
ＬＥＤ表示部１９２のＬＥＤ点燈指示がある場合（ステップＳ１１；ＹＥＳ）、その指示内容が何であるかが判別される（ステップＳ１２）。指示内容が直進時のＬＥＤ点燈である場合（ステップＳ１２；直進）、ＬＥＤ表示部１９２において直進時のＬＥＤ点燈がなされる（ステップＳ１３）。ステップＳ１３では、例えば、図５に示すように、画面表示部１９１に直進時の表示画面Ｄ１が表示された場合に、画面表示部１９１の左側に設けられたＬＥＤ単位表示部１９２Ｌと、同じく右側に設けられたＬＥＤ単位表示部１９２Ｒとが、２つ置きに点燈部分が下から上に流れるように緑色で点燈される。
【００４４】
指示内容が右折／左折時のＬＥＤ点燈である場合（ステップＳ１２；右折／左折）、ＬＥＤ表示部１９２において右折／左折時のＬＥＤ点燈がなされる（ステップＳ１４）。ステップＳ１４では、例えば、右折時に、図６に示すように、画面表示部１９１に右折時の表示画面Ｄ２が表示された場合に、画面表示部１９１の上側に設けられたＬＥＤ単位表示部１９２Ｕが、２つ置きに点燈部分が左から右に流れるように緑色で点燈されるとともに、曲がる方向を示すため、ＬＥＤ単位表示部１９２Ｒが１つ置きにオレンジ色で点燈される。左折時も同様にして、ＬＥＤ単位表示部１９２Ｕ，１９２Ｌが点燈される。
【００４５】
指示内容が行き止まり時のＬＥＤ点燈である場合（ステップＳ１２；行き止まり）、ＬＥＤ表示部１９２において行き止まり時のＬＥＤ点燈がなされる（ステップＳ１５）。ステップＳ１５では、例えば、図７に示すように、画面表示部１９１に行き止まり時の表示画面Ｄ３が表示された場合に、ＬＥＤ単位表示部１９２Ｕ，１９２Ｌ，１９２Ｒが１つ置きに黄色に点燈されるとともに、行き止まり方向を示すため、ＬＥＤ単位表示部１９２Ｕの中央に位置するＬＥＤ単位表示部１９２Ｕ１が赤色で点燈される。
【００４６】
指示内容が事故時のＬＥＤ点燈である場合（ステップＳ１２；緊急）、ＬＥＤ表示部１９２において事故時のＬＥＤ点燈がなされる（ステップＳ１６）。事故時には、事故発生での安全確保のため、走行スピードの低減、徐行、停止等を促す旨を報知する。この場合、ナビゲーション装置１００において、図示しない情報提供サーバから通信ネットワークＮ、通信部１４を介して、事故等に関する情報が受信され、その受信した情報に基づいて画面表示部１９１に画面表示がなされる。例えば、ＶＩＣＳ（Vehicle Information and Communication System）により無線配信される交通情報が通信部１４を介して受信され、その交通情報中の事故情報が取得される。
【００４７】
ステップＳ１６では、例えば、図８に示すように、画面表示部１９１に事故発生を示す三角板を有する表示画面Ｄ４が表示された場合に、ＬＥＤ単位表示部１９２Ｕ，１９２Ｄ，１９２Ｌ，１９２Ｒが一つ置きにオレンジ色で点滅して点燈される。
【００４８】
ステップＳ１３〜Ｓ１６では、ＬＥＤ点燈終了指示があるまで、各点燈処理が続行されるものとする。そして、画面表示処理のステップＳ４に対応して、ＬＥＤ表示部１９２のＬＥＤ点燈終了の指示があるか否かが判別される（ステップＳ１７）。ＬＥＤ表示部１９２のＬＥＤ点燈終了の指示がない場合（ステップＳ１７；ＮＯ）、ステップＳ７に移行される。ＬＥＤ表示部１９２のＬＥＤ点燈終了の指示がある場合（ステップＳ１７；ＹＥＳ）、ＬＥＤ表示部１９２が消燈される（ステップＳ１８）。
【００４９】
そして、ＬＥＤ表示処理を終了するか否かが判別される（ステップＳ１９）。ステップＳ１９では、例えば、画面表示処理が終了した場合に、ＬＥＤ表示処理も終了するものとする。ＬＥＤ表示処理を終了しない場合（ステップＳ１９；ＮＯ）、ステップＳ１に移行される。ＬＥＤ表示処理を終了する場合（ステップＳ１９；ＹＥＳ）、ＬＥＤ表示処理が終了する。
【００５０】
以上、本実施の形態によれば、画面表示部１９１の画面周囲に設けられたＬＥＤ表示部１９２で補助情報を表示し、運転者等が画面表示部１９１に表示されたナビゲーションの画面情報とその補助情報とを一見して認識できるので、ナビゲーションに関する情報の認識性を向上させることができ、運転の安全性を高めることができる。
【００５１】
また、車両のウインドウシールドガラス周囲等に導光管等の補助情報表示部を備える構成では、車両に予めその補助情報表示部が設置されていないと実現困難であるが、本実施の形態では、ＬＥＤ表示部１９２を含むナビゲーション装置１００を、車両に容易に後付け設置できる。
【００５２】
また、ＬＥＤ表示部１９２において、各ＬＥＤ単位表示部１９２ａの表示により補助情報を各種パターン表示するので、多様な表現が可能であり、より多くの種類の補助情報を表示できる。
【００５３】
以下、上記実施の形態の第１及び第２の変形例を順に説明する。
【００５４】
（第１の変形例）
先ず、図９を参照して、第１の変形例を説明する。図９に、本変形例の表示部１９Ａの表示構成を示す。
【００５５】
図９に示すように、本変形例は、上記実施の形態のナビゲーション装置１００の表示部１９を表示部１９Ａに代えたものであり、同様の部分の説明を省略する。表示部１９Ａは、画面表示部１９１Ａを備えて構成される。
【００５６】
画面表示部１９１は、表示画面Ｄ５を表示する。表示画面Ｄ５は、画面表示領域Ｄ５１と、画面表示領域Ｄ５１の周囲全部に位置する補助情報表示領域Ｄ５２と、を含み、画面表示領域Ｄ５１に、各種ナビゲーションに関する画面が表示される。補助情報表示領域Ｄ５２は、複数の補助情報単位表示領域Ｄ５２１を有する。補助情報表示領域Ｄ５２では、補助情報単位表示領域Ｄ５２１の相互に関連した所定の色の表示により、ＬＥＤ表示部１９２と同様にして、補助情報表示として、直進時の補助表示、右折／左折の方向指示表示、行き止まり及びその方向を示す表示、緊急時の注意を促す表示等がなされる。
【００５７】
例えば、上記実施の形態のＬＥＤ表示部１９２のＬＥＤ不点燈に対応して黒色とし、ＬＥＤ点燈に対応してその点燈色とし、補助情報表示領域Ｄ５２において、それらの色に対応して各補助情報単位表示領域Ｄ５２１が表示される。
【００５８】
本変形例によれば、画面表示部１９１Ａの画面表示領域Ｄ５１周囲に位置する補助情報表示領域Ｄ５２で補助情報を表示し、運転者等が画面表示領域Ｄ５１に表示されたナビゲーションの画面情報とその補助情報とを一見して認識できるので、ナビゲーションに関する情報の認識性を向上させることができ、運転の安全性を高めることができる。
【００５９】
また、補助情報表示領域Ｄ５２において、各補助情報単位表示領域Ｄ５２１の表示により補助情報を各種パターン表示するので、多様な表現が可能であり、より多くの種類の補助情報を表示できる。
【００６０】
（第２の変形例）
先ず、図１０を参照して、第２の変形例を説明する。図１０に、本変形例の表示部１９Ｂの構成を示す。
【００６１】
図１０に示すように、本変形例は、上記実施の形態のナビゲーション装置１００の表示部１９を表示部１９Ｂに代えたものであり、同様の部分の説明を省略する。表示部１９Ｂは、画面表示部１９１と、補助情報表示部１９３と、を備えて構成される。
【００６２】
画面表示部１９１では、各種ナビゲーション画面が表示される。補助情報表示部１９３は、３６０度に回転可能な矢印の表示体としての方向指示体１９３ａと、方向指示体１９３ａの図示しない回転及び静止機構と、を有し、方向指示体１９３ａの回転及び静止により補助情報表示を行う。方向指示体１９３ａは、例えば、直進時に先端が上を向き、右折／左折時に先端が左／右を向き、行き止まり時に先端が行き止まりの方向を向き、事故時に先端が事故発生方向を向く。緊急時には、方向指示体１９３ａを回転し続けたり、先端をぶれさせる等の構成としてもよい。
【００６３】
例えば、図９に示すように、画面表示部１９１に右折を促す表示画面Ｄ２が表示された場合、表示画面Ｄ２に対応して、補助情報表示部１９３の方向指示体１９３ａの先端が右を向くように回転される。
【００６４】
本変形例によれば、画面表示部１９１の画面周囲に位置する補助情報表示部１９３で補助情報を表示し、運転者等が画面表示部１９１に表示されたナビゲーションの画面情報とその補助情報とを一見して認識できるので、ナビゲーションに関する情報の認識性を向上させることができ、運転の安全性を高めることができる。
【００６５】
また、補助情報表示領域Ｄ５２において、各補助情報単位表示領域Ｄ５２１の表示により補助情報を各種パターン表示するので、多様な表現が可能であり、より多くの種類の補助情報を表示できる。
【００６６】
なお、上記実施の形態及び各変形例における記述は、本発明に係るナビゲーション表示装置の一例であり、これに限定されるものではない。
【００６７】
例えば、上記実施の形態においては、ＬＥＤ単位表示部１９２ａ毎に４色のＬＥＤを設けて点燈させる例を説明したが、これに限定されるものではない。例えば、ＬＥＤ単位表示部１９２ａ毎に単色又は４色以外で互いに異なる色の複数のＬＥＤを設け、そのＬＥＤにより補助情報表示を行う構成としてもよい。また、同一のＬＥＤ単位表示部１９２ａ内に異なる色の複数のＬＥＤを設け、その複数のＬＥＤを同時に点燈することにより、更に異なる色を表示する構成としてもよい。例えば、同一のＬＥＤ単位表示部１９２ａ内の緑色ＬＥＤと赤色のＬＥＤとを同時に点燈させてオレンジ色を表示する構成等としてもよい。
【００６８】
また、上記実施の形態においては、補助表示の表示パターンとして、ＬＥＤの連続した点燈、点滅、ＬＥＤ単位表示部１９２ａの点燈部分が所定方向に流れる例を説明したが、これに限定されるものではない。例えば、ＬＥＤの光度を変化させる構成としてもよい。また、点滅間隔を変化させる構成としてもよい。また、補助表示の表示パターンとして、以上で述べた各構成の少なくとも２つを組み合わせる構成としてもよい。
【００６９】
また、補助表示の表示パターンは、ナビゲーション画面に対応するものであり、車両の走行の速さ、走行方向、目的地までの距離、無線通信で受信した事故以外の情報等にも対応するものとしてもよい。例えば、ＬＥＤ単位表示部１９２ａの点燈部分の流れる速さを車両の走行の速さに対応させる構成や、右折／左折地点、行き止まり地点に近づくにつれて、あるいは、目的地に近づくにつれて、ＬＥＤ単位表示部１９２ａの点滅間隔を小さく又は大きくしていったり、同じく点燈の流れる速さを速く又は遅くしたりする構成等としてもよい。
【００７０】
また、補助情報表示の各表示パターンが、どのナビゲーション内容と対応するかは、自在に設定できる構成としてもよい。また、補助情報表示の表示パターンに対応するナビゲーション内容は、直進、右折／左折、行き止まり、緊急に限定されるものではない。
【００７１】
また、発光による補助情報表示手段として、ＬＥＤを用いる構成を説明したが、これに限定されるものではなく、その他の発光体（液晶パネル、電球、ネオン管、ＥＬパネル等）を用いる構成としてもよい。
【００７２】
また、画面表示部１９１の画面の周囲全部にＬＥＤ表示部１９２を設ける構成としたが、これに限定されるものではなく、画面の周囲の一部にＬＥＤ表示部を設ける構成としてもよい。
【００７３】
また、第１の変形例においても、各補助情報単位表示領域Ｄ５２の色数は５色に限定されるものではない。また、補助情報単位表示領域Ｄ５２の表示パターンについても、上記実施の形態と同様である。また、画面表示領域Ｄ５１の周囲全部に補助情報表示領域Ｄ５２を設ける構成としたが、これに限定されるものではなく、画面の周囲の一部に補助情報表示領域を設ける構成としてもよい。
【００７４】
また、第２の変形例においては、補助情報表示部１９３が表示体としての矢印の方向指示体１９３ａを有する構成としたが、これに限定されるものではない。例えば、表示体として、指差し状態を示す手の形で人差し指により所望の方向を示す方向指示体を備え、その手の方向指示体を回転及び静止する構成等としてもよい。また、手の指が可動な表示体を備え、その表示体を指差し状態に変形させて所望の方向を人差し指等が指したり、同様に手を広げた状態に変形させて、事故時の徐行、停止を報知する構成等としてもよい。
【００７５】
さらには、方向指示体以外の表示体を運動及び静止する機構により、表示体の姿態を変えて補助情報を表示する補助情報表示手段としてもよい。例えば、表示体としての循環状のベルト上に異なる補助表示情報がプリントされ、そのベルトを周動及び静止する機構を備え、その周動及び静止により、いずれかの補助表示情報を窓に表示させる構成や、表示体としての複数の異なる補助情報が描かれたパネルがナビゲーション表示装置１００に格納され、そのパネルを露出する機構を備え、補助情報表示指示により、いずれかのパネルを露出して補助情報を表示する構成等としてもよい。
【００７６】
また、第２の変形例においては、補助情報表示部１９３が常時露出している構成としたが、これに限定されるものではない。例えば、補助情報表示部１９３がナビゲーション装置本体に格納されており、補助情報表示指示がなされた場合等に、補助情報表示部１９３が自動的に露出する構成等としてもよい。
【００７７】
また、ナビゲーション装置を車両に適用する場合を説明したが、これに限定されるものではなく、船、航空機等の移動体に適用する構成としてもよい。
【００７８】
さらに、上記実施の形態、第１の変形例、第２の変形例の少なくとも２つを適宜組み合わせる構成としてもよい。
【００７９】
その他、本実施の形態におけるナビゲーション装置の細部構成、および詳細動作に関しても、本発明の趣旨を逸脱しない範囲で適宜変更可能である。
【図面の簡単な説明】
【００８０】
【図１】本発明に係る実施の形態のナビゲーション装置１００の構成を示す図である。
【図２】表示部１９の表示構成を示す図である。
【図３】画面表示処理を示すフローチャートである。
【図４】ＬＥＤ表示処理を示すフローチャートである。
【図５】直進時のＬＥＤ点燈表示パターンを示す図である。
【図６】右折時のＬＥＤ点燈表示パターンを示す図である。
【図７】行き止まり時のＬＥＤ点燈表示パターンを示す図である。
【図８】事故時のＬＥＤ点燈表示パターンを示す図である。
【図９】第１の変形例の表示部１９Ａの表示構成を示す図である。
【図１０】第２の変形例の表示部１９Ｂの表示構成を示す図である。
【符号の説明】
【００８１】
１００  ナビゲーション装置
１１  ＣＰＵ
１２  ＧＰＳ部
１２ａ  アンテナ
１３  自律航法部
１４  通信部
１５  ＲＡＭ
１６  不揮発メモリ
１７  記憶部
１８  入力部
１９，１９Ａ，１９Ｂ  表示部
１９１  画面表示部
１９２  ＬＥＤ表示部
１９３  補助情報表示部
１９３ａ  方向指示体
２０  音声出力部
２１  バス
【図１】
2006220446.tif 000003
【図２】
2006220446.tif 000004
【図３】
2006220446.tif 000005
【図４】
2006220446.tif 000006
【図５】
2006220446.tif 000007
【図６】
2006220446.tif 000008
【図７】
2006220446.tif 000009
【図８】
2006220446.tif 000010
【図９】
2006220446.tif 000011
【図１０】
2006220446.tif 000012